(57)【要約】【課題】通常の空調制御時に使用する通信容量の空きスペースを大きくでき、それだけ１台の室外機に接続できる室内機の台数を増やすことが可能な空調システムを提供する。【解決手段】空調システム１００において、室外機Ａにてアドレス設定モード情報Ｅａを所定期間Ｍにかつ所定周期Ｔで全ての室内機Ｂ１〜Ｂｎに送信し、室内機Ｂ１〜Ｂｎにて所定周期Ｔでアドレス設定モード情報Ｅａを受信しているときにアドレス設定可能情報Ｅｃを自身のコントローラＢｙ１〜Ｂｙｎに送信し、コントローラＢｙ１〜Ｂｙｎにてアドレス設定可能情報Ｅｃを受信しているときアドレス１〜ｎを設定し、室内機Ｂ１〜Ｂｎにてアドレスｉを自身のアドレスとして記憶すると共に室外機Ａに送信し、室外機Ａにて室内機Ｂｉのアドレスｉを受信すると共に当該アドレスｉを室内機Ｂｉに対応づけて記憶する。【選択図】図２
2010223482.tif 000002
【特許請求の範囲】
【請求項１】
１台の室外機に複数の室内機が接続され、空調制御のために前記室内機のそれぞれに固有のアドレスを任意に設定できる空調システムにおいて、
前記室外機には、前記アドレスを設定するためのアドレス設定モードであることを示すアドレス設定モード情報を所定期間に、かつ所定周期で前記全ての室内機に送信するアドレス設定モード情報送信手段が設けられており、
前記複数の室内機のそれぞれには、前記所定周期で前記アドレス設定モード情報を受信しているときに自身の空調制御を指示するコントローラに前記アドレスを設定可能であることを示すアドレス設定可能情報を送信する手段が設けられており、
前記コントローラには、前記アドレスを設定するための人為操作可能なアドレス設定手段が設けられていて前記アドレス設定可能情報を受信しているときに前記アドレス設定手段を有効とし、
前記複数の室内機のそれぞれには、前記アドレス設定手段により設定された前記アドレスを自身のアドレスとして記憶する手段と、当該アドレスを前記室外機に送信する手段とが設けられており、
前記室外機には、前記それぞれの室内機の前記アドレスを受信する手段と、当該アドレスを当該アドレスの室内機に対応づけて記憶する手段とが設けられていることを特徴とする空調システム。
【請求項２】
請求項１記載の空調システムにおいて、
前記室外機が前記アドレス設定モード情報を送信する前記所定期間を任意に設定可能としたことを特徴とする空調システム。
【請求項３】
請求項１又は２記載の空調システムを複数組み合わせた空調システムであって、
前記室外機間が通信伝送路によって接続されており、
前記それぞれの室外機には、自身が親室外機であることを設定する手段と、自身が前記親室外機として設定されたときに前記アドレス設定モード情報送信手段を有効とする手段とが設けられていることを特徴とする空調システム。
【発明の詳細な説明】
【技術分野】
【０００１】
本発明は、１台の室外機に複数の室内機が接続される空調システム及びその空調システムを複数組み合わせた空調システムに関し、特に、複数の室内機のそれぞれに固有のアドレスを任意に設定できる空調システムに関する。
【背景技術】
【０００２】
従来から、１台の室外機に複数の室内機が接続される空調システムやその空調システムを複数組み合わせた空調システムにおいて、それぞれの室内機から離れた集中制御室といった場所から遠隔操作で空調のオン／オフや室内温度の設定等の空調制御を行うために、それぞれの室内機に固有のアドレスが任意に設定されるようにした構成が公知となっている。
【０００３】
例えば、下記特許文献１は、集中制御部により空調を制御するために室内機のそれぞれにユーザーの操作によって固有のアドレスが設定されるにあたって、アドレスの設定に先立って室内機が集中制御部に接続されているか否かを判断して、通常モードからアドレス設定モードへ遷移するか否かを決定する構成を開示している（特許文献１の段落［００４９］，［００５５］参照）。
【０００４】
このアドレスの設定は、主として空調システムの施工完了時や入れ替え完了時等の空調システムを初めに稼動するときに行われる。
【先行技術文献】
【特許文献】
【０００５】
【特許文献１】特開２００８−２３２５９４号公報
【発明の概要】
【発明が解決しようとする課題】
【０００６】
しかしながら、前記特許文献１が開示する構成では、次のような不都合がある。図９は、集中制御部Ｃに複数の室内機Ｂ１’，…が通信伝送路Ｄ’を介して接続される従来の空調システムの不都合を説明するための図である。図９（ａ）は、該空調システムを示す概略構成図を示している。図９（ｂ）は、集中制御部Ｃとそれぞれの室内機Ｂ１’，…との間での通信伝送路Ｄ’上の通信信号の一例を示している。
【０００７】
図９に示す従来の空調システムでは、集中制御部Ｃは、複数の室外機Ａ１’，Ａ２’，…に接続されている。室外機Ａ１’は、複数の室内機Ｂ１’，Ｂ２’，…に接続されており、室外機Ａ２’，…は、複数の室内機Ｂ３’，Ｂ４’，…に接続されている。
【０００８】
各室内機Ｂ１’，…は、それぞれ、室内機本体Ｂｘ１’，…と、リモートコントローラＢｙ１’，…を備えており、自身のリモートコントローラＢｙ１’，…の人為操作に基づく空調制御が指示されるようになっている。
【０００９】
また、集中制御部Ｃは、それに接続された指示装置Ｃ１の人為操作によって各室内機Ｂ１’，…の空調制御に関する空調制御情報Ｅｂ（図９（ｂ）参照）を室外機Ａ１’，Ａ２’，…を通じて各室内機Ｂ１’，…に送信し、各室内機Ｂ１’，…は、集中制御部Ｃから送られてきた空調制御情報Ｅｂによって空調動作が制御されるようにもなっている。このため、集中制御部Ｃが個々の室内機Ｂ１’，…を認識できるように、室内機Ｂ１’，…のそれぞれは、自身のリモートコントローラＢｙ１’，…にて人為操作によって固有のアドレスを任意に設定できるようになっている。
【００１０】
そして、各室内機Ｂ１’，…にアドレスが設定されるにあたって、各リモートコントローラＢｙ１’，…は、それに対応する室内機本体Ｂｘ１’，…からのアドレス設定モード情報Ｅａ（図９（ｂ）参照）に応じて、通常モードからアドレス設定モードへ遷移可能か否かが決定される。
【００１１】
ところが、この空調システムでは、図９（ａ）に示すように、集中制御部Ｃとそれぞれの室内機Ｂ１’，…との接続を前提とする構成であるため、図９（ｂ）に示すように、アドレス設定モード情報Ｅａを含む一定量の通信情報Ｅ’を集中制御部Ｃとそれぞれの室内機Ｂ１’，…との間で、常時、所定周期Ｔで周期的に送受信するようになっている。例えば、集中制御部Ｃと室内機Ｂ１’との間で通信が行われ、次に、集中制御部Ｃと室内機Ｂ２’との間で通信が行われた後、さらに、集中制御部Ｃと室内機Ｂ３’との間で通信が行われるというように、集中制御部Ｃとそれぞれの室内機Ｂ１’，…との間でアドレス設定モード情報Ｅａを含む一定量の通信情報Ｅ’の通信が順次行われる。
【００１２】
ここで、集中制御部Ｃとそれぞれの室内機Ｂ１’，…との間の通信伝送路Ｄ’上で一度に通信できる通信容量には限界があるので、前述したように、集中制御部Ｃ’とそれぞれの室内機Ｂ１’，…との間でアドレス設定モード情報Ｅａを、常時、送受信すると、通常の空調制御時に使用する通信容量が圧迫されてしまい、通信容量の空きスペースＳが少なくなってしまう。
【００１３】
そうすると、各所に設置された室外機において、それに接続可能な室内機の空調能力に余裕があるにもかかわらず、通信容量の空きスペースが少ないがために、その接続可能な室内機の台数が制限されてしまうことがある。
【００１４】
そこで、本発明は、１台の室外機に複数の室内機が接続される空調システム及びその空調システムを複数組み合わせた空調システムであって、通常の空調制御時に使用する通信容量の空きスペースを大きくでき、それだけ１台の室外機に接続できる室内機の台数を増やすことが可能な空調システムを提供することを目的とする。
【課題を解決するための手段】
【００１５】
本発明は、前記課題を解決するために、１台の室外機に複数の室内機が接続され、空調制御のために前記室内機のそれぞれに固有のアドレスを任意に設定できる空調システムにおいて、前記室外機には、前記アドレスを設定するためのアドレス設定モードであることを示すアドレス設定モード情報を所定期間にかつ所定周期で前記全ての室内機に送信するアドレス設定モード情報送信手段が設けられており、前記複数の室内機のそれぞれには、前記所定周期で前記アドレス設定モード情報を受信しているときに自身の空調制御を指示するコントローラに前記アドレスを設定可能であることを示すアドレス設定可能情報を送信する手段が設けられており、前記コントローラには、前記アドレスを設定するための人為操作可能なアドレス設定手段が設けられていて前記アドレス設定可能情報を受信しているときに前記アドレス設定手段を有効とし、前記複数の室内機のそれぞれには、前記アドレス設定手段により設定された前記アドレスを自身のアドレスとして記憶する手段と、当該アドレスを前記室外機に送信する手段とが設けられており、前記室外機には、前記それぞれの室内機の前記アドレスを受信する手段と、当該アドレスを当該アドレスの室内機に対応づけて記憶する手段とが設けられていることを特徴とする空調システムを提供する。
【００１６】
このように本発明によれば、従来の構成の如く、それぞれの室内機との間で常時通信を行うことで一定の通信容量を占有するような集中制御部を設けずとも、前記室外機による前記所定期間での前記アドレス設定モード情報の前記全ての室内機への送信によって、前記複数の室内機のそれぞれに固有のアドレスを任意に設定することを可能としている。こうすることで、常時、一定の通信容量を占有する集中制御部を省いて、通常の空調制御時に使用する通信容量の空きスペースを大きくでき、それだけ１台の室外機に接続可能な室内機の台数を増やすことができる。
【００１７】
しかも、前記室外機が前記アドレス設定モード情報を送信しないとき、すなわち、前記それぞれの室内機が前記アドレス設定可能情報を自身のコントローラに送信しないときには、このコントローラの前記アドレス設定手段が有効とならないので、前記アドレスを設定すべき前記所定期間以外のときに、操作者がアドレスを設定するといったアドレスの誤設定を防止することも可能である。
【００１８】
本発明において、前記コントローラは、有線又は無線で通信するリモートコントローラであってもよいし、その室内機内に搭載されたものであってもよい。
【００１９】
また、前記アドレス設定モード情報送信手段は、前記所定周期での前記全ての室内機への送信の開始及び終了を手動操作によって行ってもよい。
【００２０】
本発明において、前記室外機が前記アドレス設定モード情報を送信する前記所定期間を任意に設定可能とすることが好ましい。
【００２１】
この特定事項では、操作者が前記それぞれの室内機の設置場所を順番に巡って人為的に固有のアドレスを任意に設定するときに特に有効である。この場合、前記所定期間として巡回に必要と予想される時間を設定することができる。
【００２２】
また、本発明は、前記本発明に係る空調システムを複数組み合わせた空調システムであって、前記室外機間が通信伝送路によって接続されており、前記それぞれの室外機には、自身が親室外機であることを設定する手段と、自身が前記親室外機として設定されたときに前記アドレス設定モード情報送信手段を有効とする手段とが設けられていることを特徴とする空調システムも提供する。
【００２３】
この特定事項では、前記本発明に係る空調システムを複数組み合わせた場合でも、前記それぞれの室外機において前記親室外機として設定されたときに前記アドレス設定モード情報送信手段を有効とするので、前記それぞれの室外機のうち前記親室外機として設定された室外機によって、前記親室外機に接続されたそれぞれの室外機に加えて、それ以外の室外機に接続されたそれぞれの室内機に固有のアドレスを任意に設定することが可能となる。
【発明の効果】
【００２４】
以上説明したように、本発明によれば、通常の空調制御時に使用する通信容量の空きスペースを大きくでき、それだけ１台の室外機に接続できる室内機の台数を増やすことが可能な空調システム及びその空調システムを複数組み合わせた空調システムを提供することができる。
【図面の簡単な説明】
【００２５】
【図１】本発明の第１実施形態に係る空調システムを示す概略構成図である。
【図２】図１に示す空調システムにおける通信伝送路上の通信信号の一例を示す図であって、図（ａ）は、アドレス設定モード時での信号状態を示す図であり、図（ｂ）は、通常モード時での信号状態を示す図である。
【図３】図１に示す空調システムにおける室外機及び室内機の概略構成を示すブロック図であって、図（ａ）は、室外機の概略ブロック図であり、図（ｂ）は、室内機本体の概略ブロック図であり、図（ｃ）は、リモートコントローラの概略ブロック図である。
【図４】図１に示す空調システムにおける室内機にアドレスが操作者によって設定すされる際の制御例を示すフローチャートである。
【図５】図１に示す空調システムにおいて室内機に対するアドレスを記憶したドレステーブルの一例を示す図である。
【図６】本発明の第２実施形態に係る空調システムを示す概略構成図である。
【図７】図６に示す空調システムにおける２台の室外機の概略構成を一つの図で示すブロック図である。
【図８】図６に示す空調システムにおいて室内機に対するアドレスを記憶したアドレステーブルの一例を示す図である。
【図９】集中制御部に複数の室内機が通信伝送路を介して接続される従来の空調システムの不都合を説明するための図であって、図（ａ）は、該空調システムを示す概略構成図であり、図（ｂ）は、集中制御部とそれぞれの室内機との間での通信伝送路上の通信信号の一例を示す図である。
【発明を実施するための形態】
【００２６】
以下、本発明に係る実施の形態について図面を参照しながら説明する。なお、以下の実施の形態は、本発明を具体化した例であって、本発明の技術的範囲を限定する性格のものではない。
【００２７】
（第１実施形態）
図１は、本発明の第１実施形態に係る空調システム１００を示す概略構成図である。また、図２は、図１に示す空調システム１００における通信伝送路Ｄ１上の通信信号の一例を示す図である。図２（ａ）は、アドレス設定モード時での信号状態を示しており、図２（ｂ）は、通常モード時での信号状態を示している。
【００２８】
図１に示す空調システム１００は、１台の室外機Ａと、複数台の室内機Ｂ１〜Ｂｍ（ｍは２以上の整数）とを備えている。
【００２９】
各室内機Ｂ１〜Ｂｍは、室外機Ａに接続されており、該室外機Ａとの間で通信伝送路Ｄ１を介した信号の通信を行えるようになっている。
【００３０】
また、各室内機Ｂ１〜Ｂｍは、それぞれ、室内機本体Ｂｘ１〜Ｂｘｍと、人為操作可能なコントローラＢｙ１〜Ｂｙｍとを備えており、自身のコントローラＢｙ１〜Ｂｙｍの人為操作に基づく空調制御が指示されるようになっている。コントローラＢｙ１〜Ｂｙｍは、ここでは、室内機本体Ｂｘ１〜Ｂｘｍと有線又は無線で通信するリモートコントローラとされている。
【００３１】
室外機Ａは、通信回線Ｇを介して人為操作可能な遠隔操作指示装置Ｈに接続されている。なお、通信回線Ｇとしては、有線若しくは無線の公衆回線網又はインターネット並びにそれらを組み合わせたものを例示できる。また、遠隔操作指示装置Ｈとしては、防犯やガス漏れ、火災等からの安全を監視するセキュリティサービス或いはホームオートメーションサービス等の監視サービスに使用される監視装置や、携帯電話機等の携帯端末装置を例示できる。
【００３２】
遠隔操作指示装置Ｈは、操作者の人為操作によって各室内機Ｂ１〜Ｂｍの空調制御を室外機Ａに通信回線Ｇを通じて指示するようになっている。室外機Ａは、遠隔操作指示装置Ｈからの空調制御の指示によって通信伝送路Ｄ１を通じて空調制御に関する空調制御情報Ｅｂ（図２（ｂ）参照）を各室内機Ｂ１〜Ｂｍと通信する。このため、室外機Ａが個々の室内機Ｂ１〜Ｂｍを認識できるように、室内機Ｂ１〜Ｂｍのそれぞれは、自身のリモートコントローラＢｙ１〜Ｂｙｍにて人為操作によって固有のアドレスを任意に設定できるようになっている。なお、空調制御情報Ｅｂとは、各室内機Ｂ１〜Ｂｍの設定温度・風量や検出温度などである。
【００３３】
リモートコントローラＢｙ１〜Ｂｙｍは、その室内機本体Ｂｘ１〜Ｂｘｍからのアドレス設定モード情報Ｅａ（図２（ａ）参照）に応じて、アドレス１〜ｍを設定可能か否かが決定される。ここで、アドレス１〜ｍとは、遠隔操作指示装置Ｈからの空調制御の指示によって室内機Ｂ１〜Ｂｍの空調動作を行うときに用いられるアドレスであって、その空調動作を行うための対象となる室内機を特定するためのアドレスである。
【００３４】
なお、全ての室内機Ｂ１〜Ｂｍに対してアドレス１〜ｍが設定されなくてもよい。すなわち、遠隔操作指示装置Ｈからの指示を行わずに、リモートコントローラのみからの指示で室内機の空調制御を行う場合にはアドレスを設定しなくてもよい。
【００３５】
図３は、図１に示す空調システム１００における室外機Ａ及び室内機Ｂｉ（ｉは１〜ｍ）の概略構成を示すブロック図である。図３（ａ）は、室外機Ａの概略ブロック図を示しており、図３（ｂ）は、室内機本体Ｂｘｉの概略ブロック図を示しており、図３（ｃ）は、リモートコントローラＢｙｉの概略ブロック図を示している。
【００３６】
室外機Ａ及び室内機本体Ｂｘｉは、それぞれ、図３（ａ）及び図３（ｂ）に示すように、室外機用制御部１０及び室内機用制御部２０を備えている。
【００３７】
室外機用制御装置１０及び室内機用制御部２０は、それぞれ、ＣＰＵ（Central Processing Unit）等の処理部１１，２１と、記憶部１２，２２とを備えている。記憶部１２，２２は、ＲＯＭ（Read Only Memory）やＲＡＭ（Random Access Memory）等の記憶メモリを含み、各種制御プログラムや必要な関数およびテーブルや各種データを記憶するようになっている。
【００３８】
図３（ａ）に示す室外機Ａにおける室外機用制御装置１０は、処理部１１によって、室外機用制御プログラムを記憶部１２から読み出し、該読み出した室外機用制御プログラムを実行することで、空調制御を行うように構成されている。この室外機用制御プログラムは、アドレス設定モード情報送信手段Ｐ１１と、アドレス受信手段Ｐ１２と、アドレス記憶手段Ｐ１３とを含む手段として処理部１１を機能させるようになっている。
【００３９】
図３（ｂ）に示す室内機本体Ｂｘｉにおける室内機用制御装置２０は、処理部２１によって、室内機用制御プログラムを記憶部２２から読み出し、該読み出した室内機用制御プログラムを実行することで、空調制御を行うように構成されている。この室内機用制御プログラムは、アドレス設定可能情報送信手段Ｐ２１と、アドレス記憶手段Ｐ２２と、アドレス送信手段Ｐ２３とを含む手段として処理部２１を機能させるようになっている。
【００４０】
図３（ｃ）に示すリモートコントローラＢｙｉは、アドレスｉを設定するための人為操作可能なアドレス設定手段Ｐ３１を備えている。
【００４１】
室外機Ａの処理部１１におけるアドレス設定モード情報送信手段Ｐ１１は、アドレスｉを設定するためのアドレス設定モードであることを示すアドレス設定モード情報Ｅａ（図２（ａ）参照）を所定期間Ｍにおいて所定周期Ｔで全ての室内機Ｂｉに周期的に送信するようになっている。なお、アドレス設定モード情報Ｅａとしては、室外機Ａが室内機Ｂｉのアドレスを受信可能であることを示す信号を例示できる。
【００４２】
ここでは、室外機Ａの記憶部１２には、アドレス設定モード情報Ｅａを周期的に送信する時間である所定期間Ｍが予め設定されている。この記憶部１２には、所定期間Ｍとして、例えば、ユーザー等の操作者の人為操作によって３０分や６０分といった任意の時間を予め設定できるようになっている。なお、所定期間Ｍは、予め記憶しておいた複数の時間を選択的に設定できるようになっていてもよい。
【００４３】
室内機本体Ｂｘｉの処理部２１におけるアドレス設定可能情報送信手段Ｐ２１は、所定周期Ｔでアドレス設定モード情報Ｅａを周期的に受信しているときにリモートコントローラＢｙｉにアドレスｉを設定可能であることを示すアドレス設定可能情報Ｅｃを送信するようになっている。
【００４４】
リモートコントローラＢｙｉは、アドレス設定可能情報Ｅｃを受信しているときにアドレス設定手段Ｐ３１を有効とする一方、アドレス設定可能情報Ｅｃを受信していないときにアドレス設定手段Ｐ３１を無効とするようになっている。
【００４５】
処理部２１におけるアドレス記憶手段Ｐ２２は、リモートコントローラＢｙｉにおけるアドレス設定手段Ｐ３１により操作者の人為操作に基づき設定されたアドレスｉを自身のアドレスとして記憶部２２に記憶するようになっている。
【００４６】
処理部２１におけるアドレス送信手段Ｐ２３は、リモートコントローラＢｙｉにおけるアドレス設定手段Ｐ３１により操作者の人為操作に基づき設定されたアドレスｉを室外機Ａに送信するようになっている。
【００４７】
室外機Ａの処理部１１におけるアドレス受信手段Ｐ１２は、それぞれの室内機Ｂｉから送られてきたアドレスｉを受信するようになっている。
【００４８】
処理部１１におけるアドレス記憶手段Ｐ１３は、アドレス受信手段Ｐ１２にて受信した室内機Ｂｉのアドレスｉをその室内機Ｂｉに対応づけて記憶部１２に記憶するようになっている。
【００４９】
図４は、図１に示す空調システム１００における室内機Ｂｉにアドレスｉが操作者によって設定される際の制御例を示すフローチャートである。
【００５０】
この空調システム１００では、図４に示すように、先ず、室外機Ａにおいて、操作者による人為操作によってアドレス設定モードが選択された否かを判断し（ステップＳ１）、アドレス設定モードが選択されていないときには（ステップＳ１：Ｎｏ）、ステップＳ１４の通常モードに移行する一方、アドレス設定モードが選択されたときには（ステップＳ１：Ｙｅｓ）、ステップＳ２〜Ｓ１３のアドレス設定モードを実行する。
【００５１】
すなわち、室外機Ａにおいて、図２（ａ）に示すように、アドレス設定モード情報Ｅａを所定周期Ｔで全ての室内機Ｂｉに送信する送信動作を開始し（ステップＳ２）、室内機Ｂｉにおいて、所定周期Ｔで室外機Ａからのアドレス設定モード情報Ｅａを受信しているか否かを判断し（ステップＳ３）、アドレス設定モード情報Ｅａを受信しているときには（ステップＳ３：Ｙｅｓ）、アドレス設定可能情報Ｅｃを自身のリモートコントローラＢｙｉに送信する（ステップＳ４）。一方、アドレス設定モード情報Ｅａを受信していないときには（ステップＳ３：Ｎｏ）、そのままステップＳ５へ移行する。
【００５２】
次に、リモートコントローラＢｙｉにおいて、アドレス設定可能情報Ｅｃを受信しているか否かを判断し（ステップＳ５）、アドレス設定可能情報Ｅｃを受信しているときには（ステップＳ５：Ｙｅｓ）、アドレス設定手段Ｐ３１を有効にする（ステップＳ６）。このとき、室内機Ｂｉに固有のアドレスｉが操作者の操作によって任意に設定される。一方、アドレス設定可能情報Ｅｃを受信していないときには（ステップＳ５：Ｎｏ）、アドレス設定手段Ｐ３１を無効にし（ステップＳ７）、ステップＳ１４へ移行する。
【００５３】
そして、室内機Ｂｉにおいて、リモートコントローラＢｙｉのアドレス設定手段Ｐ３１により設定されたアドレスｉを自身のアドレスとして記憶部２２に記憶し（ステップＳ８）、室外機Ａに送信する（ステップＳ９）。
【００５４】
図５は、図１に示す空調システム１００において室内機Ｂｉに対するアドレスｉを記憶したアドレステーブルの一例を示す図である。
【００５５】
室外機Ａにおいて、室内機Ｂｉのアドレスｉを受信し（ステップＳ１０）、図５に示すように、受信したアドレスｉを室内機Ｂｉに対応づけて記憶部１２に記憶する（ステップＳ１１）。
【００５６】
ステップＳ１２では、所定期間Ｍが経過するまで、ステップＳ３〜ステップＳ１１の処理を繰り返し（ステップＳ１２：Ｎｏ）、所定期間Ｍが経過する、または全ての室内機のアドレス設定の完了等によって室外機Ａにおいて、アドレス設定モードが解除されると、（ステップＳ１２：Ｙｅｓ、またはステップＳ１５割込み）、室外機Ａにおいて、アドレス設定モード情報Ｅａの室内機Ｂｉへの送信動作を終了して（ステップＳ１３）アドレス設定モードを終了し、ステップＳ１４の通常モードに移行する。この通常モードでは、図２（ｂ）に示すように、通信情報Ｅは、アドレス設定モード情報Ｅａを含んでおらず、空調制御情報Ｅｂのみとなっており、従来の通信情報Ｅ’の通信量ｔ’（図９（ｂ）参照）よりも少ない通信量ｔとなっている。
【００５７】
以上説明したように、空調システム１００によれば、従来の構成の如く、それぞれの室内機との間で常時通信を行うことで一定の通信容量を占有するような集中制御部を設けることなく、室外機Ａによる所定期間Ｍでのアドレス設定モード情報Ｅａの全ての室内機Ｂｉへの送信によって、各室内機Ｂｉに固有のアドレスｉを任意に設定することを可能としている。こうすることで、常時、一定の通信容量を占有する集中制御部を省いて、アドレス設定モード時以外の通常モード時に使用する通信容量に対する通信量ｔの占有率を低下させることができる。従って、通信容量の空きスペースＳを大きくでき、それだけ１台の室外機Ａに接続可能な室内機Ｂｉの台数を増やすことができる。
【００５８】
しかも、室外機Ａがアドレス設定モード情報Ｅａを室内機Ｂｉに送信しないときには、人為操作可能なリモートコントローラＢｙｉのアドレス設定手段Ｐ３１が有効とならないので、アドレスｉを設定すべきでない通常モードのときに、操作者がアドレスｉを設定するといったアドレスの誤設定を防止することもできる。
【００５９】
ここでは、室外機Ａがアドレス設定モード情報Ｅａを送信する所定期間Ｍを任意に設定できるようになっているので、例えば、操作者が室内機Ｂｉの設置場所を順番に巡って人為的に固有のアドレスｉを任意に設定するとき、所定期間Ｍとして巡回に必要と予想される時間を記憶部２２に予め記憶しておくことができる。
【００６０】
なお、本第１実施形態においては、所定周期Ｔでの全ての室内機Ｂｉへの送信の開始及び終了を自動的に行っているが、手動操作によって行ってもよい。
【００６１】
（第２実施形態）
図６は、本発明の第２実施形態に係る空調システム２００を示す概略構成図である。図６に示す空調システム２００は、図１に示す第１実施形態の空調システム１００を複数（ここでは２つ）組み合わせたものである。図７は、図６に示す空調システム２００における２台の室外機Ａａ，Ａｂの概略構成を一つのブロック図で示している。
【００６２】
なお、図６及び図７において、図１に示す空調システム１００と同じ構成要素は、同一符号を付し、その説明を省略する。また、図６及び図７においては、図１の室外機Ａは室外機Ａａ，Ａｂとし、図１の室内機Ｂ１〜Ｂは室内機Ｂａ１〜Ｂａｍ，Ｂｂ１〜Ｂｂｎ（ｎは２以上の整数）とし、リモートコントローラは図示を省略している。
【００６３】
図６に示す第２実施形態の空調システム２００は、室外機Ａａ，Ａｂ間が通信伝送路Ｄ２によって接続されている。
【００６４】
前記室外機用制御プログラムは、さらに、親室外機設定手段Ｐ１４と、設定有効手段Ｐ１５を含む手段としてそれぞれの室外機Ａａ，Ａｂにおける処理部１１を機能させるようになっている。
【００６５】
親室外機設定手段Ｐ１４は、自身が親室外機であることを設定するようになっている。また、有効手段Ｐ１５は、自身が親室外機として設定されたときにアドレス設定モード情報送信手段Ｐ１１を有効とするようになっている。
【００６６】
本第２実施形態の空調システム２００では、操作者の人為操作によって複数台の室外機Ａａ，Ａｂのうち一台の室外機が親室外機であることが設定される。そうすると、親室外機であることが設定された室外機のアドレス設定モード情報送信手段Ｐ１１が有効となり、それ以外の室外機のアドレス設定モード情報送信手段Ｐ１１が無効となる。すなわち、親室外機であることが設定された室外機が自身と接続している室内機だけでなく、それ以外の室外機と接続している室内機もアドレス設定の対象としている。
【００６７】
このように、空調システム２００では、複数の室外機Ａａ，Ａｂのうち一台の室外機が親室外機として設定されることで、操作者の人為操作によって室内機Ｂａ１〜Ｂａｍ及び室内機Ｂｂ１〜Ｂｂｎにアドレス１〜ｋ（ｋ＝ｎ＋ｍ）を設定することができる。
【００６８】
図８は、図６に示す空調システム２００において室内機Ｂａ１〜Ｂａｍ，Ｂｂ１〜Ｂｂｎに対するアドレス１〜ｋを記憶したアドレステーブルの一例を示す図である。
【００６９】
図８の例に示すように、室外機Ａａを親室外機とした場合、室外機Ａａのアドレス設定モード情報送信手段Ｐ１１が有効になり、親室外機Ａａ以外の室外機Ａｂのアドレス設定モード情報送信手段Ｐ１１が無効になる。そうすると、親室外機となった室外機Ａａと、それに接続された室内機Ｂａ１〜Ｂａｍだけでなく、親室外機Ａａ以外の室外機Ａｂに接続された室内機Ｂｂ１〜Ｂｂｎとの間で図４に示すようなアドレス設定制御がなされ、室内機Ｂａ１〜Ｂａｍ，Ｂｂ１〜Ｂｂｎにアドレス１〜ｋ（＝ｍ＋ｎ）が設定される。
【００７０】
すなわち、室内機Ｂａ１〜Ｂａｍにアドレス１〜ｍがそれぞれ設定され、室内機Ｂｂ１〜Ｂｂｎにアドレスｍ＋１〜ｋ（＝ｍ＋ｎ）がそれぞれ設定される。
【００７１】
この空調システム２００では、第１実施形態の空調システム１００を複数組み合わせた場合でも、それぞれの室外機Ａａ，Ａｂにおいて親室外機として設定されたときにアドレス設定モード情報送信手段Ｐ１１を有効とするので、親室外機として設定された室外機（図示例では室外機Ａａ）によって、各室内機Ｂａ１〜Ｂａｍ及び各室内機Ｂｂ１〜Ｂｂｎのそれぞれに固有のアドレス１〜ｋを任意に設定することができる。
【符号の説明】
【００７２】
１〜ｍ，１〜ｋ      アドレス
１００              第１実施形態の空調システム
１００ａ，１００ｂ  第２実施形態の個々の空調システム
２００              第２実施形態の全体の空調システム
Ａ                  第１実施形態の室外機
Ａａ，Ａｂ          第２実施形態の室外機
Ｂ１〜Ｂｎ          第１実施形態の室内機
Ｂａ１〜Ｂａｎ      第２実施形態の室内機
Ｂｂ１〜Ｂａｍ      第２実施形態の室内機
Ｄ１，Ｄ２          通信伝送路
Ｅａ                アドレス設定モード情報
Ｅｃ                アドレス設定可能情報
Ｂｙ１〜Ｂｙｎ      リモートコントローラ（コントローラの一例）
Ｍ                  所定期間
Ｐ１１              アドレス設定モード情報送信手段
Ｐ１２              アドレス受信手段
Ｐ１３              アドレス記憶手段
Ｐ１４              親室外機設定手段
Ｐ１５              設定有効手段
Ｐ２１              アドレス設定可能情報送信手段
Ｐ２２              アドレス記憶手段
Ｐ２３              アドレス送信手段
Ｐ３１              アドレス設定手段
Ｔ                  所定周期
【図１】
2010223482.tif 000003
【図２】
2010223482.tif 000004
【図３】
2010223482.tif 000005
【図４】
2010223482.tif 000006
【図５】
2010223482.tif 000007
【図６】
2010223482.tif 000008
【図７】
2010223482.tif 000009
【図８】
2010223482.tif 000010
【図９】
2010223482.tif 000011